(57)【要約】  【課題】  従来の眼鏡ケース切削ラインデータ作成方法は、多様化する眼鏡の着用者のニーズに柔軟に対応することが難しいことがある。  【解決手段】  対象となる眼鏡１０と定規２０を並べて平板３０上に置き、真上から撮像する撮影ステップと、その撮像された、眼鏡１０と定規２０の複合画像のデータを入力ユニット６１へ入力する入力ステップと、サイズ決定ユニット６２が、複合画像の中の定規２０の画像と眼鏡１０の画像を利用して、対象となる眼鏡１０のサイズを決定するサイズ決定ステップと、輪郭抽出ユニット６３が、複合画像の中の眼鏡１０の画像の輪郭１００を抽出する輪郭抽出ステップと、切削ライン生成ユニット６４が、抽出された眼鏡１０の画像の輪郭１００より、あらかじめ決められたマージンだけ大きい切削ライン２００を生成する切削ライン生成ステップと、を備えた眼鏡ケース切削ラインデータ作成方法である。【選択図】  図１
2019016270.tif 000002
【特許請求の範囲】
【請求項１】
対象となる眼鏡と定規を並べて平板上に置き、真上から撮像する撮影ステップと、
その撮像された、前記眼鏡と定規の複合画像のデータをコンピューターの入力手段へ入力する入力ステップと、
前記コンピューターのサイズ決定手段が、前記複合画像の中の定規の画像と前記眼鏡の画像を利用して、前記対象となる眼鏡のサイズを決定するサイズ決定ステップと、
前記コンピューターの輪郭抽出手段が、前記複合画像の中の眼鏡の画像の輪郭を抽出する輪郭抽出ステップと、
前記コンピューターの切削ライン生成手段が、前記抽出された前記眼鏡の画像の輪郭、又は前記眼鏡の画像から得られる画像の最外郭の輪郭より、あらかじめ決められたマージンだけ大きい切削ラインを生成する切削ライン生成ステップと、
前記コンピューターの出力手段が、前記切削ラインのデータ及び前記眼鏡のサイズのデータを出力する、出力ステップと、
を備えたことを特徴とする眼鏡ケース切削ラインデータ作成方法。
【請求項２】
対象となる眼鏡と定規が平板上に並べて置かれた状態で、真上から撮像された前記眼鏡と定規の複合画像のデータを入力する入力ユニットと、
前記複合画像データの定規の画像と眼鏡の画像を利用して、前記対象となる眼鏡のサイズを決定するサイズ決定ユニットと、
前記入力された複合画像の中の眼鏡の画像の輪郭を抽出する輪郭抽出ユニットと、
前記入力された複合画像の眼鏡の画像を左右反転、又は前記抽出された眼鏡の輪郭を左右反転して反転画像又は反転輪郭を生成する、反転ユニットと、
前記反転画像と、前記複合画像の眼鏡の画像とを対応させながら重ね合わせて重畳画像を生成し、又は前記反転輪郭と、前記抽出された眼鏡の輪郭とを対応させながら重ね合わせて重畳画像を生成し、又は前記反転画像と、前記抽出された眼鏡の輪郭とを対応させながら重ね合わせて重畳画像を生成し、又は前記反転輪郭と、前記複合画像の眼鏡の画像とを対応させながら重ね合わせて重畳画像を生成する重畳画像生成ユニットと、
前記重畳画像の最外郭の輪郭を更に抽出する、最外郭輪郭抽出ユニットと、
前記重畳画像の最外郭の輪郭より、あらかじめ決められたマージンだけ大きい切削ラインを生成する、切削ラインユニットと、
前記切削ラインのデータ及び前記眼鏡のサイズのデータを出力する、出力ユニットと、
を備えたことを特徴とする眼鏡ケース切削ラインデータ作成装置。
【発明の詳細な説明】
【技術分野】
【０００１】
本発明は、眼鏡ケースを製造するための眼鏡ケース切削ラインデータ作成方法および眼鏡ケース切削ラインデータ作成装置に関する。
【背景技術】
【０００２】
さまざまな眼鏡ケース切削ラインデータ作成方法および眼鏡ケース切削ラインデータ作成装置が、知られている。
【０００３】
たとえば、眼鏡が眼鏡ケースに収納された際に、眼鏡と眼鏡ケースの間に余分な隙間を生じさせずに、眼鏡を眼鏡ケースの内部で安定させることができるとともに、所望の眼鏡フレームに合ったものを即座に手にすることができるように構成された眼鏡ケースの内装材および眼鏡ケースが、知られている（たとえば、特許文献１参照）。
【先行技術文献】
【特許文献】
【０００４】
【特許文献１】特開２００１−０３７５２０号公報
【発明の概要】
【発明が解決しようとする課題】
【０００５】
しかしながら、従来の眼鏡ケース切削ラインデータ作成方法および眼鏡ケース切削ラインデータ作成装置は、多様化する眼鏡の着用者のニーズに柔軟に対応することが難しいことがある。
【０００６】
本発明は、上述された従来の課題を考慮し、多様化する眼鏡の着用者のニーズにより柔軟に対応することができる眼鏡ケース切削ラインデータ作成方法および眼鏡ケース切削ラインデータ作成装置を提供することを目的とする。
【課題を解決するための手段】
【０００７】
第１の本発明は、対象となる眼鏡と定規を並べて平板上に置き、真上から撮像する撮影ステップと、
その撮像された、前記眼鏡と定規の複合画像のデータをコンピューターの入力手段へ入力する入力ステップと、
前記コンピューターのサイズ決定手段が、前記複合画像の中の定規の画像と前記眼鏡の画像を利用して、前記対象となる眼鏡のサイズを決定するサイズ決定ステップと、
前記コンピューターの輪郭抽出手段が、前記複合画像の中の眼鏡の画像の輪郭を抽出する輪郭抽出ステップと、
前記コンピューターの切削ライン生成手段が、前記抽出された前記眼鏡の画像の輪郭、又は前記眼鏡の画像から得られる画像の最外郭の輪郭より、あらかじめ決められたマージンだけ大きい切削ラインを生成する切削ライン生成ステップと、
前記コンピューターの出力手段が、前記切削ラインのデータ及び前記眼鏡のサイズのデータを出力する、出力ステップと、
を備えたことを特徴とする眼鏡ケース切削ラインデータ作成方法である。
【０００８】
第２の本発明は、対象となる眼鏡と定規が平板上に並べて置かれた状態で、真上から撮像された前記眼鏡と定規の複合画像のデータを入力する入力ユニットと、
前記複合画像データの定規の画像と眼鏡の画像を利用して、前記対象となる眼鏡のサイズを決定するサイズ決定ユニットと、
前記入力された複合画像の中の眼鏡の画像の輪郭を抽出する輪郭抽出ユニットと、
前記入力された複合画像の眼鏡の画像を左右反転、又は前記抽出された眼鏡の輪郭を左右反転して反転画像又は反転輪郭を生成する、反転ユニットと、
前記反転画像と、前記複合画像の眼鏡の画像とを対応させながら重ね合わせて重畳画像を生成し、又は前記反転輪郭と、前記抽出された眼鏡の輪郭とを対応させながら重ね合わせて重畳画像を生成し、又は前記反転画像と、前記抽出された眼鏡の輪郭とを対応させながら重ね合わせて重畳画像を生成し、又は前記反転輪郭と、前記複合画像の眼鏡の画像とを対応させながら重ね合わせて重畳画像を生成する重畳画像生成ユニットと、
前記重畳画像の最外郭の輪郭を更に抽出する、最外郭輪郭抽出ユニットと、
前記重畳画像の最外郭の輪郭より、あらかじめ決められたマージンだけ大きい切削ラインを生成する、切削ラインユニットと、
前記切削ラインのデータ及び前記眼鏡のサイズのデータを出力する、出力ユニットと、
を備えたことを特徴とする眼鏡ケース切削ラインデータ作成装置である。
【発明の効果】
【０００９】
本発明により、多様化する眼鏡の着用者のニーズにより柔軟に対応することが可能な眼鏡ケース切削ラインデータ作成方法および眼鏡ケース切削ラインデータ作成装置を提供することができる。
【図面の簡単な説明】
【００１０】
【図１】本発明における実施の形態１の眼鏡ケース製造システムのブロック図
【図２】本発明における実施の形態１の眼鏡ケースの斜視図（その一）
【図３】本発明における実施の形態１の眼鏡ケースの斜視図（その二）
【図４】本発明における実施の形態１の眼鏡ケースの眼鏡ケース下部分近傍の模式的な部分上面図
【図５】本発明における実施の形態１の眼鏡ケースの眼鏡ケース下部分近傍の模式的な部分断面図
【図６】本発明における実施の形態１の眼鏡の画像の輪郭の模式的な説明図
【図７】本発明における実施の形態１の切削ラインの模式的な説明図
【図８】本発明における実施の形態１の変形例の実施の形態の眼鏡ケースの眼鏡ケース下部分近傍の模式的な部分上面図
【図９】本発明における実施の形態２の眼鏡ケース製造システムのブロック図
【図１０】本発明における実施の形態２の眼鏡の画像の輪郭の模式的な説明図
【図１１】本発明における実施の形態２の反転輪郭の模式的な説明図
【図１２】本発明における実施の形態２の重畳画像の模式的な説明図
【図１３】本発明における実施の形態２の重畳画像の最外郭の輪郭の模式的な説明図
【図１４】本発明における実施の形態２の切削ラインの模式的な説明図
【発明を実施するための形態】
【００１１】
以下、図面を参照しながら、本発明における実施の形態について詳細に説明する。
【００１２】
（実施の形態１）
はじめに、図１〜５を主として参照しながら、本実施の形態の眼鏡ケース製造システムの構成について具体的に説明する。
【００１３】
ここに、図１は本発明における実施の形態１の眼鏡ケース製造システムのブロック図であり、図２および３は本発明における実施の形態１の眼鏡ケース４０の斜視図（その一および二）であり、図４は本発明における実施の形態１の眼鏡ケース４０の眼鏡ケース下部分４０ｄ近傍の模式的な部分上面図であり、図５は本発明における実施の形態１の眼鏡ケース４０の眼鏡ケース下部分４０ｄ近傍の模式的なＡ−Ａ部分断面図である。
【００１４】
図２および４においては眼鏡１０が収納されている眼鏡ケース４０が示されており、図３および５においては眼鏡１０が収納されていない眼鏡ケース４０が示されている。
【００１５】
以下同様であるが、いくつかの構成要素は図面において示されていないこともあるし模式的にまたは省略的に示されていることもある。たとえば、図４においては、眼鏡１０が収納されている眼鏡ケース４０の眼鏡収納空間１８を囲む壁は点線で模式的に示されている。そして、画面寸法は、必ずしも理論通りではない。
【００１６】
眼鏡１０は、レンズ１１Ｌおよび１１Ｒと、リム１２Ｌおよび１２Ｒと、テンプル１３Ｌおよび１３Ｒと、ヒンジ１４Ｌおよび１４Ｒと、モダン１５Ｌおよび１５Ｒと、ブリッジ１６と、ノーズパッド１７Ｌおよび１７Ｒと、を有する。
【００１７】
眼鏡ケース４０は、眼鏡ケース上部分４０ｕと、眼鏡ケース上部分４０ｕが開閉自在に接続された眼鏡ケース下部分４０ｄと、を有する。
【００１８】
本実施の形態においては、眼鏡１０は、レンズ１１Ｌおよび１１Ｒが眼鏡ケース下部分４０ｄに接触する眼鏡収納状態で眼鏡ケース４０に収納される。したがって、眼鏡ケース４０の眼鏡収納空間１８は、レンズ１１Ｌおよび１１Ｒが眼鏡ケース下部分４０ｄに接触する眼鏡収納状態に応じた形状に形成される。
【００１９】
ＮＣ（Ｎｕｍｅｒｉｃａｌ  Ｃｏｎｔｏｒｏｌ）デバイス７０は、眼鏡ケース切削ラインデータ作成装置６０からのデータ出力に基づいて木材または樹脂材などのような眼鏡ケース素材４１から眼鏡ケース４０を製造するＮＣ機械７１を有する。
【００２０】
入力通信回線８１は、撮影ユニット５０から眼鏡ケース切削ラインデータ作成装置６０へのデータ入力のための通信回線である。
【００２１】
出力通信回線８２は、眼鏡ケース切削ラインデータ作成装置６０からＮＣデバイス７０へのデータ出力のための通信回線である。
【００２２】
撮影ユニット５０は、対象となる眼鏡１０と定規２０を並べて平板３０上に置き、真上から撮像するためのユニットである。
【００２３】
たとえば、撮影ユニット５０は、眼鏡１０の着用者のディジタルカメラまたは撮像機能を有するスマートフォンなどである。典型的には、眼鏡ケース切削ラインデータ作成装置６０の所有者である業者に眼鏡ケース４０を注文したい着用者は、眼鏡１０と、眼鏡１０のサイズを決定するための定規２０と、を平板３０上に置いて撮像し、眼鏡１０と定規２０の複合画像のデータをインターネットなどのような入力通信回線８１を利用して業者に送信する。
【００２４】
本実施の形態においては、眼鏡ケース切削ラインデータ作成装置６０は、入力ユニット６１と、サイズ決定ユニット６２と、輪郭抽出ユニット６３と、切削ライン生成ユニット６４と、出力ユニット６５と、を有する。
【００２５】
入力ユニット６１は、その撮像された、眼鏡１０と定規２０の複合画像のデータを入力するためのユニットである。
【００２６】
入力ユニット６１は、本発明におけるコンピューターの入力手段の一例である。
【００２７】
サイズ決定ユニット６２は、複合画像の中の定規２０の画像と眼鏡１０の画像を利用して、対象となる眼鏡１０のサイズを決定するためのユニットである。
【００２８】
サイズ決定ユニット６２は、本発明におけるコンピューターのサイズ決定手段の一例である。
【００２９】
輪郭抽出ユニット６３は、図６に示されているように、複合画像の中の眼鏡１０の画像の輪郭１００を抽出するためのユニットである。
【００３０】
ここに、図６は、本発明における実施の形態１の眼鏡１０の画像の輪郭１００の模式的な説明図である。
【００３１】
輪郭抽出ユニット６３は、本発明におけるコンピューターの輪郭抽出手段の一例である。
【００３２】
切削ライン生成ユニット６４は、図７に示されているように、抽出された眼鏡１０の画像の輪郭１００より、あらかじめ決められたマージンだけ大きい切削ライン２００を生成するためのユニットである。
【００３３】
ここに、図７は、本発明における実施の形態１の切削ライン２００の模式的な説明図である。
【００３４】
切削ライン生成ユニット６４は、本発明におけるコンピューターの切削ライン生成手段の一例である。
【００３５】
なお、変形例の実施の形態においては、切削ライン生成ユニット６４は、眼鏡１０の画像から得られる画像の最外郭の輪郭１０３（図１３参照）より、あらかじめ決められたマージンだけ大きい切削ライン２００を生成するためのユニットであってもよい。
【００３６】
出力ユニット６５は、切削ライン２００のデータ及び眼鏡１０のサイズのデータを出力するためのユニットである。
【００３７】
出力ユニット６５は、本発明におけるコンピューターの出力手段の一例である。
【００３８】
つぎに、図１を主として参照しながら、本実施の形態の眼鏡ケース製造システムの動作について具体的に説明する。
【００３９】
本実施の形態の眼鏡ケース製造システムの動作について説明しながら、本発明の眼鏡ケース切削ラインデータ作成方法の実施の形態についても説明する。
【００４０】
（撮影ステップ）
対象となる眼鏡１０と定規２０を並べて平板３０上に置き、真上から撮像する。
【００４１】
（入力ステップ）
その撮像された、眼鏡１０と定規２０の複合画像のデータを入力ユニット６１へ入力する。
【００４２】
（サイズ決定ステップ）
サイズ決定ユニット６２が、複合画像の中の定規２０の画像と眼鏡１０の画像を利用して、対象となる眼鏡１０のサイズを決定する。
【００４３】
（輪郭抽出ステップ）
輪郭抽出ユニット６３が、図６に示されているように、複合画像の中の眼鏡１０の画像の輪郭１００を抽出する。
【００４４】
（切削ライン生成ステップ）
切削ライン生成ユニット６４が、図７に示されているように、抽出された眼鏡１０の画像の輪郭１００より、あらかじめ決められたマージンだけ大きい切削ライン２００を生成する。
【００４５】
本実施の形態においては、眼鏡１０のサイズが利用され、少なくとも、眼鏡１０と眼鏡ケース４０の眼鏡収納空間１８を囲む壁との間の間隙
（数１）
δ＝５［ｍｍ］
に相当する大きさのマージンが全周にわたって確保されるのみならず、間隙
（数２）
δ＝１０［ｍｍ］
に相当する大きさのマージンがブリッジ１６近傍では確保されるように、切削ライン２００が生成される（図４参照）。
【００４６】
しかしながら、これに限らず、たとえば、間隙δは、全周にわたって変化せず一定であってもよい。
【００４７】
さらに、これに限らず、たとえば、眼鏡１０のサイズは利用されないで、眼鏡１０のビットマップ画像の輪郭１００の縦方向サイズを表す画素数がＭであり、横方向サイズを表す画素数がＮである場合には、平均値
（数３）
（Ｍ＋Ｎ）／２
の３パーセントに相当する大きさのマージンが確保されるように、切削ライン２００が生成されてもよい（図６参照）。
【００４８】
なお、変形例の実施の形態においては、切削ライン生成ユニット６４が、眼鏡１０の画像から得られる画像の最外郭の輪郭１０３（図１３参照）より、あらかじめ決められたマージンだけ大きい切削ライン２００を生成してもよい。
【００４９】
（出力ステップ）
出力ユニット６５が、切削ライン２００のデータ及び眼鏡１０のサイズのデータを出力する。
【００５０】
以上において説明された本実施の形態においては、眼鏡ケース４０の眼鏡収納空間１８は、レンズ１１Ｌおよび１１Ｒが眼鏡ケース下部分４０ｄに接触する眼鏡収納状態に応じた形状に形成される（図４参照）。
【００５１】
しかしながら、これに限らず、図８に示されているように、眼鏡ケース４０の眼鏡収納空間１８は、テンプル１３Ｌおよび１３Ｒが眼鏡ケース下部分４０ｄに接触する眼鏡収納状態に応じた形状に形成されてもよい。
【００５２】
ここに、図８は、本発明における実施の形態１の変形例の実施の形態の眼鏡ケース４０の眼鏡ケース下部分４０ｄ近傍の模式的な部分上面図である。
【００５３】
（実施の形態２）
はじめに、図９を主として参照しながら、本実施の形態の眼鏡ケース製造システムの構成について具体的に説明する。
【００５４】
ここに、図９は、本発明における実施の形態２の眼鏡ケース製造システムのブロック図である。
【００５５】
上述されたように、レンズ１１Ｌおよび１１Ｒが眼鏡ケース下部分４０ｄに接触する眼鏡収納状態（図４参照）と、テンプル１３Ｌおよび１３Ｒが眼鏡ケース下部分４０ｄに接触する眼鏡収納状態（図８参照）と、の二種類の眼鏡収納状態が、考えられる。
【００５６】
しかしながら、先に折畳まれるテンプル１３Ｒはしばしばテンプル１３Ｌと比べて飛出すので、眼鏡ケース４０の眼鏡収納空間１８が一方の眼鏡収納状態に応じた形状に形成されているとき、眼鏡１０は他方の眼鏡収納状態では眼鏡ケース４０に収納しにくかったり収納不可能であったりする。
【００５７】
そして、典型的な多くの場合において、眼鏡１０の着用者から送信されてくる眼鏡１０と定規２０の複合画像には着用者の好みの眼鏡収納状態における眼鏡１０が撮られており、通常の業者は送信されてきた複合画像に応じた形状に眼鏡ケース４０の眼鏡収納空間１８を形成するであろうが、着用者によっては好みの眼鏡収納状態とは異なる眼鏡収納状態における眼鏡１０を誤って撮ってしまうかもしれない。
【００５８】
以下、柔軟に二種類の眼鏡収納状態に対応することができる仕様が、切削ライン生成ユニット６４の代わりに、反転ユニット６４ａと、重畳画像生成ユニット６４ｂと、最外郭輪郭抽出ユニット６４ｃと、切削ラインユニット６４ｄと、を有する眼鏡ケース切削ラインデータ作成装置６０により実現されることを説明する。
【００５９】
本実施の形態においては、眼鏡ケース切削ラインデータ作成装置６０は、入力ユニット６１と、サイズ決定ユニット６２と、輪郭抽出ユニット６３と、反転ユニット６４ａと、重畳画像生成ユニット６４ｂと、最外郭輪郭抽出ユニット６４ｃと、切削ラインユニット６４ｄと、出力ユニット６５と、を有する。
【００６０】
入力ユニット６１は、対象となる眼鏡１０と定規２０が平板３０上に並べて置かれた状態で、真上から撮像された眼鏡１０と定規２０の複合画像のデータを入力するユニットである。
【００６１】
サイズ決定ユニット６２は、複合画像データの定規２０の画像と眼鏡１０の画像を利用して、対象となる眼鏡１０のサイズを決定するユニットである。
【００６２】
輪郭抽出ユニット６３は、図１０に示されているように、入力された複合画像の中の眼鏡１０の画像の輪郭１０１を抽出するユニットである。
【００６３】
ここに、図１０は、本発明における実施の形態２の眼鏡１０の画像の輪郭１０１の模式的な説明図である。
【００６４】
反転ユニット６４ａは、図１１に示されているように、抽出された眼鏡１０の輪郭１０１を左右反転して反転輪郭１０２を生成する、ユニットである。
【００６５】
ここに、図１１は、本発明における実施の形態２の反転輪郭１０２の模式的な説明図である。
【００６６】
重畳画像生成ユニット６４ｂは、図１２に示されているように、反転輪郭１０２と、抽出された眼鏡１０の輪郭１０１とを対応させながら重ね合わせて重畳画像を生成するユニットである。
【００６７】
ここに、図１２は、本発明における実施の形態２の重畳画像の模式的な説明図である。
【００６８】
なお、変形例の実施の形態においては、重畳画像生成ユニット６４ｂは、反転輪郭１０２と、複合画像の眼鏡１０の画像とを対応させながら重ね合わせて重畳画像を生成するユニットであってもよい。
【００６９】
また、別の変形例の実施の形態においては、反転ユニット６４ａは、入力された複合画像の眼鏡１０の画像を左右反転して反転画像を生成する、ユニットであってもよく、重畳画像生成ユニット６４ｂは、反転画像と、複合画像の眼鏡１０の画像とを対応させながら重ね合わせて重畳画像を生成し、又は反転画像と、抽出された眼鏡１０の輪郭１０１とを対応させながら重ね合わせて重畳画像を生成するユニットであってもよい。
【００７０】
最外郭輪郭抽出ユニット６４ｃは、図１３に示されているように、重畳画像の最外郭の輪郭１０３を更に抽出する、ユニットである。
【００７１】
ここに、図１３は、本発明における実施の形態２の重畳画像の最外郭の輪郭１０３の模式的な説明図である。
【００７２】
切削ラインユニット６４ｄは、図１４に示されているように、重畳画像の最外郭の輪郭１０３より、あらかじめ決められたマージンだけ大きい切削ライン２０１を生成する、ユニットである。
【００７３】
ここに、図１４は、本発明における実施の形態２の切削ライン２０１の模式的な説明図である。
【００７４】
出力ユニット６５は、切削ライン２０１のデータ及び眼鏡１０のサイズのデータを出力する、ユニットである。
【００７５】
つぎに、図９を主として参照しながら、本実施の形態の眼鏡ケース製造システムの動作について具体的に説明する。
【００７６】
本実施の形態の眼鏡ケース製造システムの動作について説明しながら、本発明の眼鏡ケース切削ラインデータ作成方法の実施の形態についても説明する。
【００７７】
（入力ステップ）
入力ユニット６１は、対象となる眼鏡１０と定規２０が平板３０上に並べて置かれた状態で、真上から撮像された眼鏡１０と定規２０の複合画像のデータを入力する。
【００７８】
（サイズ決定ステップ）
サイズ決定ユニット６２は、複合画像データの定規２０の画像と眼鏡１０の画像を利用して、対象となる眼鏡１０のサイズを決定する。
【００７９】
（輪郭抽出ステップ）
輪郭抽出ユニット６３は、図１０に示されているように、入力された複合画像の中の眼鏡１０の画像の輪郭１０１を抽出する。
【００８０】
（反転ステップ）
反転ユニット６４ａは、図１１に示されているように、抽出された眼鏡１０の輪郭１０１を左右反転して反転輪郭１０２を生成する。
【００８１】
（重畳画像生成ステップ）
重畳画像生成ユニット６４ｂは、図１２に示されているように、反転輪郭１０２と、抽出された眼鏡１０の輪郭１０１とを対応させながら重ね合わせて重畳画像を生成する。
【００８２】
本実施の形態においては、反転輪郭１０２のヒンジ１４Ｌと輪郭１０１のヒンジ１４Ｒとが一致し、反転輪郭１０２のヒンジ１４Ｒと輪郭１０１のヒンジ１４Ｌとが一致するように、重畳画像が生成される。
【００８３】
なお、変形例の実施の形態においては、重畳画像生成ユニット６４ｂは、反転輪郭１０２と、複合画像の眼鏡１０の画像とを対応させながら重ね合わせて重畳画像を生成してもよい。
【００８４】
また、別の変形例の実施の形態においては、反転ユニット６４ａは、入力された複合画像の眼鏡１０の画像を左右反転して反転画像を生成してもよく、重畳画像生成ユニット６４ｂは、反転画像と、複合画像の眼鏡１０の画像とを対応させながら重ね合わせて重畳画像を生成し、又は反転画像と、抽出された眼鏡１０の輪郭１０１とを対応させながら重ね合わせて重畳画像を生成してもよい。
【００８５】
（最外郭輪郭抽出ステップ）
最外郭輪郭抽出ユニット６４ｃは、図１３に示されているように、重畳画像の最外郭の輪郭１０３を更に抽出する。
【００８６】
（切削ラインステップ）
切削ラインユニット６４ｄは、図１４に示されているように、重畳画像の最外郭の輪郭１０３より、あらかじめ決められたマージンだけ大きい切削ライン２０１を生成する。
【００８７】
本実施の形態においては、眼鏡１０のサイズが利用され、少なくとも、眼鏡１０と眼鏡ケース４０の眼鏡収納空間１８を囲む壁との間の間隙
（数１）
δ＝５［ｍｍ］
に相当する大きさのマージンが全周にわたって確保されるのみならず、間隙
（数２）
δ＝１０［ｍｍ］
に相当する大きさのマージンがブリッジ１６近傍では確保されるように、切削ライン２０１が生成される。
【００８８】
しかしながら、これに限らず、たとえば、間隙δは、全周にわたって変化せず一定であってもよい。
【００８９】
さらに、これに限らず、たとえば、眼鏡１０のサイズは利用されないで、重畳ビットマップ画像の最外郭の輪郭１０３の縦方向サイズを表す画素数がＭであり、横方向サイズを表す画素数がＮである場合には、平均値
（数３）
（Ｍ＋Ｎ）／２
の３パーセントに相当する大きさのマージンが確保されるように、切削ライン２０１が生成されてもよい。
【００９０】
（出力ステップ）
出力ユニット６５は、切削ライン２０１のデータ及び眼鏡１０のサイズのデータを出力する。
【００９１】
以上において説明された本実施の形態においては、一つの眼鏡１０が眼鏡ケース４０に収納される構成が、採用されている。
【００９２】
しかしながら、これに限らず、たとえば、二つの眼鏡１０が眼鏡ケース４０に収納される構成が採用されてもよいし、老眼鏡、コンタクトレンズのケースまたは万年筆などが併せて眼鏡ケース４０に収納される構成が採用されてもよい。
【００９３】
なお、本発明に関連した発明のプログラムは、上述された本発明の眼鏡ケース切削ラインデータ作成方法の全部または一部のステップ（または工程、動作および作用など）の動作をコンピューターに実行させるためのプログラムであって、コンピューターと協働して動作するプログラムである。
【００９４】
また、本発明に関連した発明の記録媒体は、上述された本発明の眼鏡ケース切削ラインデータ作成方法の全部または一部のステップ（または工程、動作および作用など）の全部または一部の動作をコンピューターに実行させるためのプログラムを記録した記録媒体であり、読取られた上述されたプログラムが上述されたコンピューターと協働して利用されるコンピューター読取り可能な記録媒体である。
【００９５】
なお、上述された「一部のステップ（または工程、動作および作用など）」とは、それらの複数のステップの内の一つまたはいくつかのステップを意味する。
【００９６】
また、上述された「ステップ（または工程、動作および作用など）の動作」とは、上述されたステップの全部または一部の動作を意味する。
【００９７】
また、本発明に関連した発明のプログラムの一利用形態は、インターネット、光、電波または音波などのような伝送媒体の中を伝送され、コンピューターにより読取られ、コンピューターと協働して動作するという形態であってもよい。
【００９８】
また、記録媒体としては、ＲＯＭ（Ｒｅａｄ  Ｏｎｌｙ  Ｍｅｍｏｒｙ）などが含まれる。
【００９９】
また、上述されたコンピューターは、ＣＰＵ（Ｃｅｎｔｒａｌ  Ｐｒｏｃｅｓｓｉｎｇ  Ｕｎｉｔ）などのような純然たるハードウェアに限らず、ファームウェア、ＯＳ（Ｏｐｅｒａｔｉｎｇ  Ｓｙｓｔｅｍ）、そしてさらに周辺機器を含んでもよい。
【０１００】
なお、上述されたように、本発明の構成は、ソフトウェア的に実現されてもよいし、ハードウェア的に実現されてもよい。
【産業上の利用可能性】
【０１０１】
本発明における眼鏡ケース切削ラインデータ作成方法および眼鏡ケース切削ラインデータ作成装置は、多様化する眼鏡の着用者のニーズにより柔軟に対応することができ、たとえば、眼鏡ケースを製造するための眼鏡ケース切削ラインデータ作成方法および眼鏡ケース切削ラインデータ作成装置に利用する目的に有用である。
【符号の説明】
【０１０２】
１０  眼鏡
１１Ｌ、１１Ｒ  レンズ
１２Ｌ、１２Ｒ  リム
１３Ｌ、１３Ｒ  テンプル
１４Ｌ、１４Ｒ  ヒンジ
１５Ｌ、１５Ｒ  モダン
１６  ブリッジ
１７Ｌ、１７Ｒ  ノーズパッド
１８  眼鏡収納空間
２０  定規
３０  平板
４０  眼鏡ケース
４０ｕ  眼鏡ケース上部分
４０ｄ  眼鏡ケース下部分
４１  眼鏡ケース素材
５０  撮影ユニット
６０  眼鏡ケース切削ラインデータ作成装置
６１  入力ユニット
６２  サイズ決定ユニット
６３  輪郭抽出ユニット
６４  切削ライン生成ユニット
６４ａ  反転ユニット
６４ｂ  重畳画像生成ユニット
６４ｃ  最外郭輪郭抽出ユニット
６４ｄ  切削ラインユニット
６５  出力ユニット
７０  ＮＣデバイス
７１  ＮＣ機械
８１  入力通信回線
８２  出力通信回線
１００  輪郭
１０１  輪郭
１０２  反転輪郭
１０３  輪郭
２００  切削ライン
２０１  切削ライン
【図１】
2019016270.tif 000003
【図２】
2019016270.tif 000004
【図３】
2019016270.tif 000005
【図４】
2019016270.tif 000006
【図５】
2019016270.tif 000007
【図６】
2019016270.tif 000008
【図７】
2019016270.tif 000009
【図８】
2019016270.tif 000010
【図９】
2019016270.tif 000011
【図１０】
2019016270.tif 000012
【図１１】
2019016270.tif 000013
【図１２】
2019016270.tif 000014
【図１３】
2019016270.tif 000015
【図１４】
2019016270.tif 000016